(57)【要約】  本発明は、円錐形プーリ式巻掛け伝動装置のためのリンクプレートチェーンであって、押圧片を介してジョイント式に互いに結合されている複数のチェーンリンクプレートを備え、複数のチェーンリンクプレートはリンクプレートチェーンの長手方向に対して横方向に相前後して配置されていて、リンクプレートチェーンの長手方向においてずらされて並んで配置されていてかつ互いに部分的に重畳するように配置されており、チェーンリンクプレートは押圧片によって貫通されている開口を有している、円錐形プーリ式巻掛け伝動装置のためのリンクプレートチェーンにおいて、リンクプレートチェーンは並んで配置されている２７個の長手方向列を有しており、長手方向列に対する配設が所定のパターンに対応しており、Ａがリンクプレートチェーンの３つの横方向列を長手方向において繰り返す配置の第１の横方向列におけるチェーンリンクプレートの配置であり、Ｂがリンクプレートチェーンの３つの横方向列を長手方向において繰り返す配置の第２の横方向列におけるチェーンリンクプレートの配置であり、Ｃがリンクプレートチェーンの３つの横方向列を長手方向において繰り返す配置の第３の横方向列におけるチェーンリンクプレートの配置である。
2011524501.tif 000002
【特許請求の範囲】
【請求項１】
円錐形プーリ式巻掛け伝動装置のためのリンクプレートチェーンであって、押圧片を介してジョイント式に互いに結合されている複数のチェーンリンクプレートを備え、該複数のチェーンリンクプレートは前記リンクプレートチェーンの長手方向に対して横方向に相前後して配置されていて、前記リンクプレートチェーンの長手方向においてずらされて並んで配置されていてかつ互いに部分的に重畳するように配置されており、前記チェーンリンクプレートは前記押圧片によって貫通されている開口を有している、円錐形プーリ式巻掛け伝動装置のためのリンクプレートチェーンにおいて、
該リンクプレートチェーンは並んで配置されている２７個の長手方向列を有しており、該長手方向列に対する配設が以下のパターンに対応しており、
2011524501.tif 000005
Ａが前記リンクプレートチェーンの３つの横方向列を長手方向において繰り返す配置の第１の横方向列における前記チェーンリンクプレートの配置であり、Ｂが前記リンクプレートチェーンの３つの横方向列を長手方向において繰り返す配置の第２の横方向列における前記チェーンリンクプレートの配置であり、Ｃが前記リンクプレートチェーンの３つの横方向列を長手方向において繰り返す配置の第３の横方向列における前記チェーンリンクプレートの配置であることを特徴とする、円錐形プーリ式巻掛け伝動装置のためのリンクプレートチェーン。
【請求項２】
円錐形プーリ式巻掛け伝動装置のためのリンクプレートチェーンであって、押圧片を介してジョイント式に互いに結合されている複数のチェーンリンクプレートを備え、該複数のチェーンリンクプレートは前記リンクプレートチェーンの長手方向に対して横方向に相前後して配置されていて、前記リンクプレートチェーンの長手方向においてずらされて並んで配置されていてかつ互いに部分的に重畳するように配置されており、前記チェーンリンクプレートは前記押圧片によって貫通されている開口を有している、円錐形プーリ式巻掛け伝動装置のためのリンクプレートチェーンにおいて、
該リンクプレートチェーンは並んで配置されている２７個の長手方向列を有しており、該長手方向列に対する配設が以下のパターンに対応しており、
2011524501.tif 000006
Ａが前記リンクプレートチェーンの３つの横方向列を長手方向において繰り返す配置の第１の横方向列における前記チェーンリンクプレートの配置であり、Ｂが前記リンクプレートチェーンの３つの横方向列を長手方向において繰り返す配置の第２の横方向列における前記チェーンリンクプレートの配置であり、Ｃが前記リンクプレートチェーンの３つの横方向列を長手方向において繰り返す配置の第３の横方向列における前記チェーンリンクプレートの配置であることを特徴とする、円錐形プーリ式巻掛け伝動装置のためのリンクプレートチェーン。
【請求項３】
円錐形プーリ式巻掛け伝動装置のためのリンクプレートチェーンであって、押圧片を介してジョイント式に互いに結合されている複数のチェーンリンクプレートを備え、該複数のチェーンリンクプレートは前記リンクプレートチェーンの長手方向に対して横方向に相前後して配置されていて、前記リンクプレートチェーンの長手方向においてずらされて並んで配置されていてかつ互いに部分的に重畳するように配置されており、前記チェーンリンクプレートは前記押圧片によって貫通されている開口を有している、円錐形プーリ式巻掛け伝動装置のためのリンクプレートチェーンにおいて、
該リンクプレートチェーンは並んで配置されている２７個の長手方向列を有しており、該長手方向列に対する配設が以下のパターンに対応しており、
2011524501.tif 000007
Ａが前記リンクプレートチェーンの３つの横方向列を長手方向において繰り返す配置の第１の横方向列における前記チェーンリンクプレートの配置であり、Ｂが前記リンクプレートチェーンの３つの横方向列を長手方向において繰り返す配置の第２の横方向列における前記チェーンリンクプレートの配置であり、Ｃが前記リンクプレートチェーンの３つの横方向列を長手方向において繰り返す配置の第３の横方向列における前記チェーンリンクプレートの配置であることを特徴とする、円錐形プーリ式巻掛け伝動装置のためのリンクプレートチェーン。
【請求項４】
円錐形プーリ式巻掛け伝動装置のためのリンクプレートチェーンであって、押圧片を介してジョイント式に互いに結合されている複数のチェーンリンクプレートを備え、該複数のチェーンリンクプレートは前記リンクプレートチェーンの長手方向に対して横方向に相前後して配置されていて、前記リンクプレートチェーンの長手方向においてずらされて並んで配置されていてかつ互いに部分的に重畳するように配置されており、前記チェーンリンクプレートは前記押圧片によって貫通されている開口を有している、円錐形プーリ式巻掛け伝動装置のためのリンクプレートチェーンにおいて、
該リンクプレートチェーンは並んで配置されている２７個の長手方向列を有しており、該長手方向列に対する配設が以下のパターンに対応しており、
2011524501.tif 000008
Ａが前記リンクプレートチェーンの３つの横方向列を長手方向において繰り返す配置の第１の横方向列における前記チェーンリンクプレートの配置であり、Ｂが前記リンクプレートチェーンの３つの横方向列を長手方向において繰り返す配置の第２の横方向列における前記チェーンリンクプレートの配置であり、Ｃが前記リンクプレートチェーンの３つの横方向列を長手方向において繰り返す配置の第３の横方向列における前記チェーンリンクプレートの配置であることを特徴とする、円錐形プーリ式巻掛け伝動装置のためのリンクプレートチェーン。
【請求項５】
円錐形プーリ式巻掛け伝動装置のためのリンクプレートチェーンであって、押圧片を介してジョイント式に互いに結合されている複数のチェーンリンクプレートを備え、該複数のチェーンリンクプレートは前記リンクプレートチェーンの長手方向に対して横方向に相前後して配置されていて、前記リンクプレートチェーンの長手方向においてずらされて並んで配置されていてかつ互いに部分的に重畳するように配置されており、前記チェーンリンクプレートは前記押圧片によって貫通されている開口を有している、円錐形プーリ式巻掛け伝動装置のためのリンクプレートチェーンにおいて、
該リンクプレートチェーンは並んで配置されている２７個の長手方向列を有しており、該長手方向列に対する配設が以下のパターンに対応しており、
2011524501.tif 000009
Ａが前記リンクプレートチェーンの３つの横方向列を長手方向において繰り返す配置の第１の横方向列における前記チェーンリンクプレートの配置であり、Ｂが前記リンクプレートチェーンの３つの横方向列を長手方向において繰り返す配置の第２の横方向列における前記チェーンリンクプレートの配置であり、Ｃが前記リンクプレートチェーンの３つの横方向列を長手方向において繰り返す配置の第３の横方向列における前記チェーンリンクプレートの配置であることを特徴とする、円錐形プーリ式巻掛け伝動装置のためのリンクプレートチェーン。
【発明の詳細な説明】
【技術分野】
【０００１】
本発明は、円錐形プーリ式巻掛け伝動装置のためのリンクプレートチェーンであって、押圧片を介してジョイント式に互いに結合されている複数のチェーンリンクプレートを備え、複数のチェーンリンクプレートはリンクプレートチェーンの長手方向に対して横方向に相前後して配置されていて、リンクプレートチェーンの長手方向においてずらされて並んで配置されていてかつ互いに部分的に重畳するように配置されており、チェーンリンクプレートは押圧片によって貫通されている開口を有している、円錐形プーリ式巻掛け伝動装置に関する。
【０００２】
ドイツ連邦共和国特許出願公開第１００３６２５８号明細書において、冒頭で述べた形式のリンクプレートチェーンが公知になっている。公知のリンクプレートチェーンは実際にその有効性が認められているが、改良の余地がある。リンクプレートチェーンを形成するチェーンリンクプレートの複数の可能な配置のうち選択される配置は、チェーンリンクプレートにおける引張負荷、及びロッカージョイント、つまり押圧片に発生する応力の正確に計測される評価を集結して成されて（Bewertungskollektiv）いることが望まれる。
【０００３】
さらに、リンクプレートチェーンを用いて形成された円錐形プーリ式巻掛け伝動装置を使用する自動車の運転者への、リンクプレートチェーンによりもたらされる音響的な負荷を考慮する必要がある。ロッカーピンが円錐形プーリ対の間の隙間を通過することにより、固体伝送音励起をもたらす衝突衝撃が起きる。これにより形成された固体伝送音は、自動車の内室へと伝わり、内室においては不快に感じられる。
【０００４】
本発明の目的は、上記冒頭で述べた形式のリンクプレートチェーンを、音響及び強度に関して改良することである。また、走行時に発生する摩擦に対して、提供しようとするリンクプレートチェーンの運転特性を改良したい。
【０００５】
本発明は、上記目的を達成するために、請求項１の特徴を備えたリンクプレートチェーンを提供する。本発明により提供されるリンクプレートチェーンは、請求項２，３，４又は５に記載の特徴を有していてもよい。
【０００６】
本発明に係るリンクプレートチェーンは、リンクプレートチェーンのチェーンリンクプレートが完全に規定されて配置されていることを特徴とする。したがって、上記目的は、複合体においてチェーンリンクプレートの夫々種々異なる配置を備えた５つの異なるリンクプレートチェーンによって互いに達成される。
【０００７】
本発明は、円錐形プーリ式巻掛け伝動装置のためのリンクプレートチェーンであって、押圧片を介してジョイント式に互いに結合されている複数のチェーンリンクプレートを備え、複数のチェーンリンクプレートはリンクプレートチェーンの長手方向に対して横方向に相前後して配置されていて、リンクプレートチェーンの長手方向においてずらされて並んで配置されていてかつ互いに部分的に重畳するように配置されており、チェーンリンクプレートは押圧片によって貫通されている開口を有していて、リンクプレートチェーンは並んで配置されている２７個の長手方向列を有しており、長手方向列に対する配設が、
2011524501.tif 000003
というパターンに対応しており、Ａはリンクプレートチェーンの３つの横方向列を長手方向において繰り返す配置の第１の横方向列におけるチェーンリンクプレートの配置であり、Ｂはリンクプレートチェーンの３つの横方向列を長手方向において繰り返す配置の第２の横方向列におけるチェーンリンクプレートの配置であり、Ｃはリンクプレートチェーンの３つの横方向列を長手方向において繰り返す配置の第３の横方向列におけるチェーンリンクプレートの配置である。
【０００８】
したがって、本発明は、つまり、リンクプレートチェーンの長手方向で見て、上記構成が規則的に繰り返される三重複合体（Tripelverband）を備えたリンクプレートチェーンを提供する。本発明に係るリンクプレートチェーンは、シングルリンクプレート又はダブルリンクプレートを有している。隣り合うダブルリンクプレートは少なくとも１つのシングルリンクプレートにより互いに分離されている。
【０００９】
円錐形プーリ式巻掛け伝動装置を備えた自動車の、例えばコンバータ作動点（Wandleranfahrpunkt）における、上述のように形成されているリンクプレートチェーンの規定の負荷を前提とすれば、上記繰返しの構造パターンを備えたリンクプレートチェーンが有利であると判った。
【００１０】
規定の負荷において上記リンクプレートチェーンが有する、チェーンリンクプレートにおける引張力及びロッカーピンにおける応力は、公知のリンクプレートチェーンよりも小さい。逆に考えれば、上述のように形成されたリンクプレートチェーンは規定の負荷スペクトル（Lastkollektiv）において、公知のリンクプレートチェーンよりも高い寿命を有していることを意味する。
【００１１】
上記構造パターンに対する択一的な構成によれば、リンクプレートチェーンは、
2011524501.tif 000004
という構造を有していてもよい。
【００１２】
本構成においても、Ａはリンクプレートチェーンの３つの横方向列を長手方向において繰り返す配置の第１の横方向列におけるチェーンリンクプレートの配置であり、Ｂはリンクプレートチェーンの３つの横方向列を長手方向において繰り返す配置の第２の横方向列におけるチェーンリンクプレートの配置であり、Ｃはリンクプレートチェーンの３つの横方向列を長手方向において繰り返す配置の第３の横方向列におけるチェーンリンクプレートの配置である。
【００１３】
上記リンクプレートチェーンもコンバータ作動点において、公知のリンクプレートチェーンにおける規定の負荷スペクトルの場合よりも小さな、引張力によるチェーンリンクプレートの負荷と、ロッカーピンの曲げ応力とを有している。上記リンクプレートチェーンは固体伝送音を形成する、リンクプレートチェーンを用いて形成されている円錐形プーリ式巻掛け伝動装置の励振を減じるので、リンクプレートチェーンの長手方向において繰り返される構造に関する上記２つのリンクプレートチェーンは、音響的な観点において有利であることを特徴とする。
【図面の簡単な説明】
【００１４】
【図１】本発明に係るリンクプレートチェーンの構成の平面図である。
【図２】択一的な実施の形態であるリンクプレートチェーンの構成を示す図である。
【図３】同様に別の択一的な実施の形態であるリンクプレートチェーンの構成を示す図である。
【図４】さらに別の択一的な実施の形態であるリンクプレートチェーンの構成を示す図である。
【図５】本発明に係るさらに別の択一的な実施の形態であるリンクプレートチェーンの構成を示す図である。
【００１５】
以下に、本発明を図面に基づき詳細に説明する。
【００１６】
図１の上側に、第１の横方向列Ａにおける本発明に係るリンクプレートチェーンの構成と、第２の横方向列Ｂ及び第３の横方向列Ｃにおけるリンクプレートチェーンの構成とを示す。これらの横方向列Ａ，Ｂ，Ｃは夫々、互いに部分的に重畳しており、水平方向に延在している線１０１，１０２，１０３，１０４によって、図示の夫々の複合体におけるロッカーピン（図示せず）の位置が示されている。
【００１７】
矢印Ｐにより示されているリンクプレートチェーンの長手方向において、構造に関する構成は夫々３つの横方向列、つまり各三重複合体が繰り返されている。図１の構成及び図１の下側に示した構成に関する表から容易に看取可能であるように、本発明に係るリンクプレートチェーンは、相並んで互いに部分的に重畳して配置されている２７個のチェーンリンクプレートの長手方向列を有している。
【００１８】
図示のリンクプレート複合体はシングルリンクプレート、及びダブルリンクプレート、つまりチェーンリンクプレートが互いに直接隣接して組み合わされてダブルリンクプレートを形成するチェーンリンクプレートを有しているが、互いに直接隣接しているダブルリンクプレートを有しておらず、また、リンクプレート複合体は点対称的に構成されている。
【００１９】
図示の全５つのリンクプレート複合体のうち、図１に示したリンクプレート複合体が、コンバータ作動点における規定の負荷スペクトルに対する最良の反応特性、つまりチェーンリンクプレートにおける引張力とロッカーピンにおける曲げ応力から成る最良の評価の集結を有している。
【００２０】
図２には、択一的な実施の形態の本発明に係るリンクプレートチェーンの三重複合体が示してある。
【００２１】
容易に看取可能であるように、三重複合体の長手方向において見て、個々のチェーンリンクプレートは横方向列Ａ，Ｂ，Ｃにおいて別様に配置されている。例えば、図２に示した実施の形態の長手方向列の１２におけるチェーンリンクプレートは、図１に示した実施の形態では真ん中の横方向列Ｂに配置されていたのに対して、図２に示した実施の形態では横方向列Ａに配置されている。
【００２２】
図２に示した三重複合体も、長手方向において互いに接するようにリンクプレートチェーンへと形成された状態において、公知のリンクプレートチェーンよりも良好な負荷特性、つまりチェーンリンクプレートにおける比較的小さな引張力及びロッカーピンにおける比較的小さな圧縮応力を有している。
【００２３】
図３に示した三重複合体は、図１，２のチェーンリンクプレートの配置とは異なる個々のチェーンリンクプレートの配置を有している。連続して並べられた、図３に示した配置に基づく三重複合体から形成されたリンクプレートチェーンも、コンバータ作動点における規定の負荷スペクトルにおいて、公知のリンクプレートチェーンよりも良好な負荷特性、つまりチェーンリンクプレートにおける比較的小さな引張力及びロッカーピンにおける比較的小さな圧縮応力を有している。
【００２４】
同様の形式において、図４に示した三重複合体から形成されているリンクプレートチェーンも、図４に示したリンクプレートチェーンを備えた円錐形プーリ式巻掛け伝動装置のコンバータ作動点における規定の負荷スペクトルにおいて、公知のリンクプレートチェーンよりも良好な負荷特性を有している。
【００２５】
最後に、図５に示した三重複合体も、この三重複合体によって組み立てられたリンクプレートチェーンが規定の負荷スペクトルにおいて、公知のリンクプレートチェーンにおける場合よりも、個々のチェーンリンクプレートにおける比較的小さな引張力及び個々のロッカーピンにおける比較的小さな曲げ応力を有していることを特徴とする。
【００２６】
したがって、本発明は上記目的、つまり、上記リンクプレートチェーンを備えた円錐形プーリ式巻掛け伝動装置のコンバータ作動点における所定の負荷スペクトルにおいて、公知のリンクプレートチェーンの場合よりも良好な評価の集結を提供するという目的を達成するリンクプレートチェーンを提供する。
【００２７】
個々のチェーンリンクプレートにおける引張力と、個々のロッカーピンにおける圧縮応力とから形成される評価の集結を、公知のリンクプレートチェーンの評価の集結と比較すると、上記５つの三重複合体全て若しくはこれらの三重複合体から形成されたリンクプレートチェーンは、公知のリンクプレートチェーンにおける場合よりも良好な評価の集結を有している。さらに、本発明に係る三重複合体によって形成されたリンクプレートチェーンは、公知のリンクプレートチェーンよりも音響に関する現象は小さいということを特徴とする。
【００２８】
個別に詳細に上述されなかった本発明の特徴に関するその他の点については、請求項及び図面に示される。
【符号の説明】
【００２９】
１０１，１０２，１０３，１０４  線
【図１】
2011524501.tif 000010
【図２】
2011524501.tif 000011
【図３】
2011524501.tif 000012
【図４】
2011524501.tif 000013
【図５】
2011524501.tif 000014
【国際調査報告】
2011524501.tif 000015
2011524501.tif 000016
2011524501.tif 000017
2011524501.tif 000018
2011524501.tif 000019
2011524501.tif 000020